(57)【要約】      （修正有）【課題】  ノズルで乾燥せず、印刷媒体上で短い乾燥時間を示し、縁部鮮鋭性および均一な印刷面を保証する、顔料含有インクのインクベースを提供する。【解決手段】  少なくとも乾燥遅延剤およびｐＨ調整剤並びに場合によっては他の添加物を含有する、水性ベースの顔料含有インクのインクベースにおいて、乾燥遅延剤が少なくともジエチレングリコール（ＴＶ１）、１，６−ヘキサンジオール（ＴＶ２）およびペンタエリスリット（ＴＶ３）を含有し、ｐＨ調整剤（ＰＨ）がアミンまたは複数のアミンの混合物であることを特徴とする。【選択図】    なし【特許請求の範囲】
【請求項１】
インクベースが少なくとも乾燥遅延剤およびｐＨ調整剤並びに場合によっては他の添加物を含有する、水性ベースの顔料含有インクを製造するためのインクベースにおいて、乾燥遅延剤が少なくともジエチレングリコール（ＴＶ１）、１，６−ヘキサンジオール（ＴＶ２）およびペンタエリスリット（ＴＶ３）で組成されており、
ｐＨ調整剤（ＰＨ）がアミンまたは複数のアミンの混合物であることを特徴とする、上記インクベース。
【請求項２】
インクベースが少なくとも
ジエチレングリコール    （ＴＶ１）                ３０．０〜９５．５重量％、
１，６−ヘキサンジオール（ＴＶ２）                ３．０〜４０．０重量％、
ペンタエリスリット      （ＴＶ３）                ０．０１〜３．０重量％および
アミン                  （ＰＨ）                  １．５〜１５．０重量％
で組成されている、請求項１に記載のインクベース。
【請求項３】
使用されるアミン（ＰＨ）が以下の式
Ｎ（Ｒ1 ，Ｒ2 ，Ｒ3 ）
で構成されており、遊離基Ｒ1 、Ｒ2 およびＲ3 が互いに無関係に水素原子（Ｈ）、メチル基（ＣＨ3 ）またはエタノール基（ＣＨ2 ＣＨ2 ＯＨ）でもよい、請求項１または２に記載のインクベース。
【請求項４】
インクベースが他の乾燥遅延剤（ＺＳ）としてグリコール、ピロリドンおよび／またはグリセロールを含有する、請求項１〜３のいずれか一つに記載のインクベース。
【請求項５】
着色剤（ＦＭ）あるいは使用される顔料または顔料調製物が実質的に塩を含んでいない、請求項１〜４のいずれか一つに記載のインクベース。
【請求項６】
インクベースが他の添加物として界面活性剤（Ｔ）、保存剤（ＫＭ）、乳化剤（ＥＭ）および場合によっては他の添加物を含有する、請求項１〜５のいずれか一つに記載のインクベース。
【請求項７】
インクが実質的に、請求項１〜６のいずれか一つに記載のインクベース、着色剤（ＦＭ）および水（ＬＭ）ならびに場合によっては他の添加物で組成されていることを特徴とするインク。
【請求項８】
インクが
２０．０〜９５．０重量％の    水（２度蒸留）（ＬＭ）
０．１〜４０．０重量％の      顔料調製物（ＦＭ）
０．１〜１０．０重量％の      トリエタノールアミン（ＰＨ）
０．０１〜２．０重量％の      ペンタエリスリット（ＴＶ３）
０．５〜１０．０重量％の      １，６−ヘキサンジオール（ＴＶ２）
０．２〜３０．０重量％の      ジエチレングリコール（ＴＶ１）
０  〜２０．０重量％の        ポリマー分散物（ＢＭ）
０．０１〜０．５重量％の      保存剤（ＫＭ）
０  〜２．０重量％の          界面活性剤（Ｔ）
０  〜３０．０重量％の      追加的乾燥遅延剤（ＺＳ）
を含有する、請求項７に記載のインク。
【請求項９】
請求項１〜６のいずれか一つに記載のインクベースまたはそれを用いて製造された請求項７または８に記載のインクを、印刷、特にインクジェット方式またはその他の機械的記録法、プリント法、彩色法けまたはマーキング法で使用する方法。
【発明の詳細な説明】
【技術分野】
【０００１】
本発明は顔料含有インクのためのインクベース、それから製造されるインク並びにそれを印刷、特にインクジェット方式またはその他の機械的記録法、プリント法(Druck-Verfahren) 、彩色法(Mal-Verfahren) またはマーキング法で使用する方法に関する。
【０００２】
水性ベースの顔料含有インク並びにそれをインク噴射式印刷機のために使用することは原則として公知である。従来技術に従うこの種類のインクは水、着色剤としての顔料、乾燥遅延剤および場合によってはその他の添加物、例えばポリマー、乳化剤、保存剤および界面活性剤で組成されている。乾燥遅延剤としては従来技術のインクにおいては中でグリコール、グリセロールおよびピロリドン並びにこれらの乾燥遅延剤の混合物がもしばしば使用されている。
【０００３】
以下の表にこの種の顔料含有インクに含まれる乾燥遅延剤を記載する。インク組成のその割合は重量％で示す。
【０００４】
【表１】
2004176065.tif 000002
この種類のインク組成物の場合の欠点は、この種の顔料インクが例えば着色インキとして相当の程度で印刷ノズルの所で完全乾燥する傾向が強いことである。このことは、閉塞し乾燥したノズルによってもはや信頼性が保証されないという結果をもたらす。このこは予めに既に不十分な印刷品質を予想させる。それ故に乾燥遅延剤の割合を増やすことによってこの欠点を相殺する試みがなされた。しかしながらこのことが別の欠点をもたらす。特に速やかに印刷する際におよび安価な印刷媒体を使用する際に、乾燥遅延剤の含有量の多いインクでは欠陥のある縁部鮮鋭性(Randscaerfe) および面隠蔽性(Flaechenbedeckung) をもたらす。乾燥時間が延びることによって印刷の際におよび印刷機から取り出す際に不鮮明部分が生ずる確率が極めて高い。
【０００５】
更に従来技術に従うこの種のインクの製造コストは非常に高い。
【発明の開示】
【発明が解決しようとする課題】
【０００６】
それ故に本発明の課題は、冒頭に記載した欠点を有さずそして特にノズルの所で乾燥する傾向がなく、それにもかかわらず印刷媒体上で短い乾燥時間を示し、品質的に良好な印刷物を特に高い縁部鮮鋭性および均一な印刷面を保証する、品質の良好な顔料含有インクのインクベース、特にインクジェット印刷のための顔料含有インクを提供することである。均一な印刷面とはインクが良好に走るが印刷縁部では流れないことを意味する。本発明のインクベース並びにそれを用いて製造したインクを用いた場合に高い印刷機許容性を保証するべきである。更に印刷ベース並びにそれを用いて製造したインクは価格的に有利に製造できそして殆どあらゆる印刷媒体および種々の印刷機および印刷方式で一般に使用することを可能とする。
【課題を解決するための手段】
【０００７】
この課題は請求項１、７および９に記載の特徴部分によって解決される。
【発明を実施するための最良の形態】
【０００８】
特に有利な実施態様は請求項２〜６および８に包含される。
【０００９】
特に有利には、本発明のインキベースおよびそれを用いて製造されたインクを用いる場合に印刷ヘッドのノズルの所でインクが乾燥するのを許容できる程度で防止するが、もう一方では乾燥時間が高速印刷機の場合でもほぼあらゆる印刷媒体上で、印刷機でのまたは印刷機から取り出す際の不鮮明部分の形成を確実に回避できる程に短時間であることである。
【００１０】
本発明のインクベースは一般に、機械固有に僅かに変更して色々な印刷機で使用することができ、それによって開発、製造、貯蔵および合理化(Logistik)での経費が節約できる。
【００１１】
上記の課題は、乾燥遅延剤（ＴＶ）とアミン類（ＰＨ）との特別な組合せで組成される、顔料含有インク用インクベースを見出すことによって解決された。
【００１２】
本発明で使用される乾燥遅延剤（ＴＶ）はジエチレングリコール（ＴＶ１）、１，６−ヘキサンジオール（ＴＶ２）およびペンタエリスリット（ＴＶ３）の組合せである。この乾燥遅延剤は水溶性でかつ無毒の物質である。
【００１３】
使用されるこの乾燥遅延剤（ＴＶ）には場合によっては他の乾燥遅延剤（ＺＳ）が添加されてもよい。
【００１４】
本発明のインクベースは更にｐＨ値を調整するためにアミン（ＰＨ）を含有している。アミン（ＰＨ）によってインクベースおよびそれを用いて製造されたインクは塩基性であり、それによって印字ヘッドの所での摩耗が低減され並びにインク吸込み系の持久性が高められる。
【００１５】
更にインクベースおよびそれを用いて製造されるインクが塩基性域で非常に良好な貯蔵安定性を有することが判った。
【００１６】
アミン類（ＰＨ）の例には、エタノールアミン、トリエタノールアミン、アンモニアおよびジメチルエタノールアミン並びにこれらのアミンの混合物（ＰＨ）がある。
【００１７】
特別な乾燥遅延剤（ＴＶ）と少なくとも１種類のアミン（ＰＨ）とよりなる本発明の組合せによって印刷機を長期間停止した後の印刷開始挙動が著しく改善される。印刷機の停止後だけでなく印刷工程の間でも、個々のインクが一定の印刷期間にわたって必要とされないかまたは利用されない場合に、印刷開始挙動の改善が明らかに認めることができる。
【００１８】
本発明を更に説明するために以下にインクベースの組成範囲例を示す：
ＴＶ１  ジエチレングリコール            ３０．０〜９５．５重量％
ＴＶ２  １，６−ヘキサンジオール          ３．０〜４０．０重量％
ＴＶ３  ペンタエリスリット              ０．０１〜３．０  重量％
ＰＨ    アミン                            １．５〜１５．０重量％
本発明のインクベースの処方例を以下に示す：
ジエチレングリコール                    ７４．４０重量％
１，６−ヘキサンジオール                ２０．７０重量％
ペンタエリスリット                        ０．０３重量％
アミン                                    ４．９７重量％
インクベースで使用されるアミン（ＰＨ）は一般式  Ｎ（Ｒ1 ，Ｒ2 ，Ｒ3 ）で記載することができ、その際に遊離基Ｒ1 、Ｒ2 およびＲ3 が互いに無関係に水素基（Ｈ）、メチル基（ＣＨ3 ）またはエタノール基（ＣＨ2 ＣＨ2 ＯＨ）でもよい。
【００１９】
更に詳細に説明するために以下に、本発明のインクベースを用いて製造されたインクの組成範囲例並びにインクの処方を示す。
【００２０】
組成範囲例：インクジェット印刷用インク
水（２度蒸留）                          ＬＭ          ２０．０〜９５．０重量％
顔料調製物                              ＦＭ            ０．１〜４０．０重量％
トリエタノールアミン                    ＰＨ            ０．１〜１０．０重量％
ペンタエリスリット                      ＴＶ３        ０．０１〜  ２．０重量％
１，６−ヘキサンジオール                ＴＶ２          ０．５〜１０．０重量％
ジエチレングリコール                    ＴＶ１          ０．２〜３０．０重量％
ポリマー分散物                          ＢＭ                ０〜２０．０重量％
保存剤                                  ＫＭ          ０．０１〜  ０．５重量％
界面活性剤                              Ｔ                  ０〜  ２．０重量％
追加的乾燥遅延剤                        ＺＳ                ０〜３０．０重量％
処方例１：
水（２度蒸留）                          ＬＭ                    ６２．１重量％
顔料調製物                              ＦＭ                    １１．５重量％
トリエタノールアミン                    ＰＨ                      ０．８重量％
ペンタエリスリット                      ＴＶ３                  ０．０５重量％
１，６−ヘキサンジオール                ＴＶ２                  ３．３５重量％
ジエチレングリコール                    ＴＶ１                  １２．０重量％
アクリレート分散物                      ＢＭ                      ２．０重量％
ブチルジグリコール                      ＺＳ                      ８．０重量％
保存剤                                  ＫＭ                      ０．２重量％
処方例２：
水（２度蒸留）                          ＬＭ                    ５３．１重量％
顔料調製物                              ＦＭ                    ２５．０重量％
トリエタノールアミン                    ＰＨ                      ０．８重量％
ペンタエリスリット                      ＴＶ３                  ０．０１重量％
１，６−ヘキサンジオール                ＴＶ２                  ０．６７重量％
ジエチレングリコール                    ＴＶ１                  ２０．２重量％
ウレタン分散物                          ＢＭ                      ２．０重量％
イソチアゾリノン誘導体                  ＫＭ                    ０．１５重量％
処方例３：
水（脱イオン）                          ＬＭ                    ６８．８重量％
顔料調製物                              ＦＭ                      ９．０重量％
トリエタノールアミン                    ＰＨ                      １．０重量％
ペンタエリスリット                      ＴＶ３                  ０．０１重量％
１，６−ヘキサンジオール                ＴＶ２                  ０．６７重量％
ジエチレングリコール                    ＴＶ１                  ２０．２重量％
保存剤                                  ＫＭ                      ０．２重量％
界面活性剤                              Ｔ                        ０．１重量％
処方例４：
水（２度蒸留）                          ＬＭ                    ７６．１重量％
顔料調製物                              ＦＭ                      １．８重量％
トリエタノールアミン                    ＰＨ                      １．０重量％
ペンタエリスリット                      ＴＶ３                  ０．０２重量％
１，６−ヘキサンジオール                ＴＶ２                  ０．６７重量％
ジエチレングリコール                    ＴＶ１                  ２０．２重量％
保存剤                                  ＫＭ                    ０．１５重量％
脂肪アルコールポリグリコールエーテル    Ｔ                        ０．１重量％
インクベースあるいはそれから製造されるインクは場合によっては他の添加剤または添加物を含有してもよい。添加物としては溶解した状態または分散した状態のポリマー（ＢＭ）を含有していてもよい。この種のポリマーの例は、例えばアクリレートおよびウレタンがある。
【００２１】
更に通常のおよび特許請求の範囲に記載のインクが場合によって含有する添加物は例えば界面活性剤（Ｔ）、保存剤（ＫＭ）、乳化剤および均展助剤がある。
【００２２】
着色剤（ＦＭ）としては実質的に塩を含んでいない顔料または顔料調製剤を使用する。顔料を使用する場合には、制限がない。
【００２３】
使用可能なインクを製造する場合の費用の節約は、インクの品質を変質することなくあるいは初期の課題がもはや解決できないということもなく、乾燥遅延剤（ＴＶ）の様な高価な薬品の割合をできるだけ少なくすることである。
【００２４】
保存剤（ＫＭ）は場合によっては既にインクベースに添加してもよい。保存剤（ＫＭ）の例にはイソチアゾーリノン誘導体、Ｏ−およびＮ−アセタール、ハロゲン化酸アミド誘導体および／またはＮ−、Ｓ−ヘテロ環式化合物の溶液がある。
【００２５】
本発明のインクベースまたはこれを用いて製造されたインクは印刷、特にインクジェット方式または他の機械的記録法、プリント法、彩色法けまたはマーキング法で使用される。インクは実質的にインクベース、着色剤（ＦＭ）および水（ＬＭ）並びに他の添加物で組成されている。